(57)【要約】 【課題】  放送されたメディア・コンテンツを乗員が車両内で蓄積及び／又は購入することを可能とする方法及び装置を提供すること。【解決手段】  方法は、放送源からのメディア・コンテンツを受信及び処理するステップ（３１０）と、メディア・コンテンツが車両の受信機により受信されている期間に、メディア・コンテンツを車両内に置かれた短期メモリ記憶装置に一時的に蓄積するステップ（３２０）と、ユーザ入力に応じて、車両の送信機に、テレマティクス・システムへの購入信号を送信させるステップ（３３０）と、メディア・コンテンツのキーを受信して、それにより、記憶装置に、メディア・コンテンツを車両内の長期メモリ記憶装置に蓄積させるステップ（３４０）とを含む。【選択図】  図３
2006074775.tif 000002
【特許請求の範囲】
【請求項１】
ユーザが車両内にいる期間に、放送源から受信したメディア・コンテンツを購入する選択肢をユーザに提供するメディア・システムであって、
前記メディア・コンテンツを受信するよう構成された受信機と、
前記受信機と結合されて車両内に配置された記憶装置であって、長期メモリ記憶装置及び短期メモリ記憶装置を有する記憶装置と、
前記記憶装置に結合され、テレマティクス・システムに信号を送信するよう構成された送信機と、
コントローラであって、
前記放送源から前記メディア・コンテンツを受信して処理し、
前記メディア・コンテンツが受信されている期間に、前記メディア・コンテンツを前記短期メモリ記憶装置に一時的に蓄積し、
ユーザ入力に応じて、前記送信機に、前記テレマティクス・システムへの購入信号を送信させ、
前記テレマティクス・システムから前記メディア・コンテンツのキーを受信し、それにより、前記記憶装置をして、前記車両内の前記長期メモリ記憶装置に前記メディア・コンテンツを蓄積させる
よう構成されたコントローラと、
を備えるメディア・システム。
【請求項２】
前記記憶装置が、デジタル・データを蓄積するよう構成される、請求項１に記載のメディア・システム。
【請求項３】
前記コントローラに結合され、前記ユーザ入力を受信するよう構成されたユーザ・インターフェースを更に備える、請求項１に記載のメディア・システム。
【請求項４】
ユーザが車両内にいる期間に、放送源から受信したメディア・コンテンツを購入する選択肢をユーザに提供する方法であって、
前記放送源から前記メディア・コンテンツを受信し処理するステップと、
前記メディア・コンテンツが前記車両の受信機により受信されている期間に、前記車両内に設置された短期メモリ記憶装置に、前記メディア・コンテンツを一時的に蓄積するステップと、
ユーザ入力に応じて、前記車両の送信機に、テレマティクス・システムへの購入信号を送信させるステップと、
前記メディア・コンテンツのキーを受信し、それにより、前記記憶装置をして、前記車両内の長期メモリ記憶装置に前記メディア・コンテンツを蓄積させるステップと、
を備える方法。
【請求項５】
前記長期メモリ記憶装置及び短期メモリ記憶装置が、デジタル・データを蓄積するよう構成される、請求項４に記載の方法。
【請求項６】
前記放送源が衛星ラジオである、請求項４に記載の方法。
【請求項７】
前記メディア・コンテンツが、開始及び終了を有する少なくとも第１のメディア・トラックを含む、請求項４に記載の方法。
【請求項８】
前記ユーザ入力が、前記第１のメディア・トラックの終了前に受信される、請求項７に記載の方法。
【請求項９】
前記ユーザ入力が、前記第１のメディア・トラックの終了後に受信される、請求項７に記載の方法。
【請求項１０】
前記メディア・コンテンツが、更に、第２のメディア・トラックを含み、
第２のメディア・トラックが受信されて短期メモリ記憶装置に蓄積されている期間に、第１のメディア・トラックを前記短期メモリ記憶装置に保持するステップを更に含む、
請求項７に記載の方法。
【請求項１１】
前記メディア・コンテンツが、開始及び終了を有する少なくとも第１のメディア・トラックを含み、
前記メディア・コンテンツを一時的に蓄積する前記ステップが、前記第１のメディア・トラックを、前記記憶装置に結合された短期メモリ記憶装置に蓄積するステップを更に含む、
請求項４に記載の方法。
【請求項１２】
前記メディア・コンテンツを識別するデータキャストを受信するステップを更に含む、請求項４に記載の方法。
【請求項１３】
ユーザが車両内にいる期間に、放送サービスから受信したメディア・コンテンツを購入する選択肢をユーザに提供するメディア・システムであって、
前記メディア・コンテンツを受信するよう構成された受信機と、
前記受信機と結合されて前記車両内に配置された記憶装置であって、長期メモリ記憶装置及び短期メモリ記憶装置を有する記憶装置と、
前記記憶装置に結合され、テレマティクス・システムに信号を送信するよう構成された送信機と、
コントローラであって、
前記放送源から前記メディア・コンテンツを受信し、
前記メディア・コンテンツが受信されている期間に、前記メディア・コンテンツを前記短期メモリ記憶装置に一時的に蓄積し、
ユーザ入力に応じて、前記一時的に蓄積されたメディア・コンテンツを、前記長期メモリ記憶装置にコピーする
よう構成されたコントローラと、
を備えるメディア・システム。
【請求項１４】
前記記憶装置がデジタル・データを蓄積するよう構成される、請求項１３に記載のメディア・システム。
【請求項１５】
前記コントローラに結合され、ユーザ入力を受信するよう構成されたユーザ・インターフェースを更に備える、請求項１３に記載のメディア・システム。
【請求項１６】
放送源から受信されたメディア・コンテンツを車両に蓄積する方法であって、
前記放送源から前記メディア・コンテンツを受信するステップと、
前記メディア・コンテンツが受信されている期間に、前記メディア・コンテンツを短期メモリ記憶装置に一時的に蓄積するステップと、
ユーザ入力に応じて、前記一時的に蓄積されたメディア・コンテンツを、前記車両内の長期メモリ記憶装置にコピーするステップと、
を含む方法。
【請求項１７】
前記放送源が衛星ラジオである、請求項１６に記載の方法。
【請求項１８】
前記ユーザ入力に応じて、テレマティクス・システムに購入信号を送信するステップと、
テレマティクス・システムから前記メディア・コンテンツのキーを受信し、それにより、前記メディア・コンテンツを前記長期メモリ記憶装置に蓄積するステップと、
を更に含む、請求項１６記載の
方法。
【請求項１９】
前記メディア・コンテンツが、開始及び終了を有する少なくとも第１のメディア・トラックを含む、請求項１６に記載の方法。
【請求項２０】
前記ユーザ入力が、前記第１のメディア・トラックの終了前に受信される、請求項１９に記載の方法。
【請求項２１】
前記ユーザ入力が、前記第１のメディア・トラックの終了後に受信される、請求項１９に記載の方法。
【請求項２２】
前記メディア・コンテンツが、第２のメディア・トラックを更に含み、
前記第２のメディア・トラックがバッファリングされている期間に、前記第１のメディア・トラックを短期メモリ記憶装置に保持するステップを更に含む、
請求項１９に記載の方法。
【請求項２３】
前記メディア・コンテンツが、開始及び終了を有する少なくとも第１のメディア・トラックを含み、
前記メディア・コンテンツをバッファリングする前記ステップが、前記第１のメディア・トラックを、前記記憶装置に結合された短期メモリ記憶装置に蓄積するステップを更に含む、
請求項１６に記載の方法。
【請求項２４】
ユーザが第２のチャンネルを聴いている期間に、前記メディア・コンテンツが、第１のチャンネルで放送される、請求項１６に記載の方法。
【請求項２５】
前記メディア・コンテンツを識別するデータキャストを受信するステップを更に含む、請求項１６に記載の方法。
【請求項２６】
放送サービスにより車両に送信され、車両に蓄積されるメディア・コンテンツの販売を促進する方法であって、
前記車両に蓄積された前記メディア・コンテンツの購入要求を受信するステップと、
前記メディア・コンテンツの前記購入要求を前記放送サービスに送信するステップと、
前記放送サービスからの承認を受信するステップと、
前記車両に蓄積された前記メディア・コンテンツのロックを解除するために、前記車両に承認を送信するステップと、
を含む方法。
【発明の詳細な説明】
【技術分野】
【０００１】
本発明は、２００４年８月３１日出願に係る米国仮特許出願第６０／６０６，１９８号に基づく優先権を主張する。
本発明は、一般に、自動車におけるメディア・コンテンツの蓄積に関し、より詳細には、自動車のハードディスク・ドライブにメディア・コンテンツを購入及び蓄積するシステムに関する。
【背景技術】
【０００２】
車両の運転者は、特に家庭から職場へ通勤する際、用事に行く際、ビジネスを行う際、休暇の際、又は他の多くの理由により、車両内でかなりの時間を過ごす傾向がある。この時間は、車両の運転者（「乗員」）が、車両内において情報及び娯楽（「インフォテイメント（ｉｎｆｏｔａｉｎｍｅｎｔ）」）のために、コンパクト・ディスク（ＣＤ）・プレーヤー、カセットテープ・プレーヤー、ラジオ及び衛星ラジオのようなシステムを利用するのに十分なほど長いものである。
【０００３】
時折、ラジオ又は衛星ラジオにより放送される音声コンテンツのようなメディア・コンテンツは、乗員に気に入られ得る。乗員は、放送されたメディア・コンテンツを後で再生するために車両に蓄積したいと望むことがある。しかし、典型的に、車両はそのようなコンテンツを蓄積する装置を備えていない。更に、乗員は、メディア・コンテンツのコピーを購入したいと望むことがある。しかし、乗員は、放送されたメディア・コンテンツを識別することができず、メディア・コンテンツを識別するための追加の調査の実行を必要とし得る。または、乗員は、所望のメディア・コンテンツに関連する特定の情報を記憶していないかもしれない。その後、乗員はメディア・コンテンツを購入するための努力をしないかもしれない。
【発明の開示】
【発明が解決しようとする課題】
【０００４】
従って、乗員が車両内にいながらにしてメディア・コンテンツを蓄積及び／又は購入することを可能とする、車両内で利用するためのシステムを提供することが望ましい。更に、乗員が蓄積又は購入の要求を発するまで一時的にメディア・コンテンツを蓄積する手段を提供することが望ましい。更に、メディア・コンテンツが蓄積された後でコンテンツを永続的に蓄積し得るような、車両のためのハードディスク・ドライブを提供することが望ましい。
【課題を解決するための手段】
【０００５】
様々な例としての実施の形態によれば、本発明はシステム、方法及び装置を提供する。
１つの例としての実施の形態において、本発明の方法は、放送源からメディア・コンテンツを受信するステップと、メディア・コンテンツを受信しながらバッファリングするステップと、バッファリングされたメディア・コンテンツを記憶装置にコピーするステップとを含む。
【０００６】
もう１つの実施の形態において、車両内にいながらメディア・コンテンツを購入する選択肢をユーザに提供するメディア・システムが提供される。このシステムは、受信機、記憶装置、送信機及びコントローラを含む。受信機はメディア・コンテンツを受信するよう構成される。記憶装置は、車両内に設置される永続的メモリ記憶装置と短期メモリ記憶装置とを有する。記憶装置は、永続的メモリ記憶装置と短期メモリ記憶装置に、メディア・コンテンツをそれぞれ永続的及び一時的に蓄積するよう構成される。送信機は記憶装置に結合され、テレマティクス・システムに信号を送信するよう構成される。コントローラはメディア放送からメディア・コンテンツを受信及び処理し、メディア・コンテンツが受信されている期間にメディア・コンテンツを短期メモリ記憶装置に一時的に蓄積し、ユーザ入力に応じて送信機にテレマティクス・システムへの購入信号を送信させ、メディア・コンテンツへのキーを受信して、それにより、記憶装置をして、車両内の永続的メモリ記憶装置にメディア・コンテンツを永続的に蓄積させるよう構成される。
【０００７】
最後に、本発明の他の望ましい機能及び特徴は、添付の図面及び上記の技術分野並びに背景の説明と組み合わされた以下の詳細な説明及び特許請求の範囲から明らかになる。
【発明を実施するための最良の形態】
【０００８】
以下、同じ番号が同様の要素を示す添付の図面と組み合せて、本発明を詳細に説明する。
以下の本発明の詳細な説明は本質的に例示に過ぎず、本発明又は本発明の適用及び用途を制限する意図はない。更に、上記の背景、概要又は以下の詳細な説明に提示されたいかなる理論にも拘束されるものではない。更に、本明細書においては、本発明をメディア・コンテンツに適用して説明するが、当業者に理解されるように、本発明は、音声及び／又は視覚的なコンテンツを含むがそれらに限定されない任意の種別のメディア・コンテンツに対しても実施され得る。
【０００９】
図１は、テレマティクス・システム７５と通信する例としてのメディア・システム１００を提供する。メディア・システム１００は車両５０内に配置され、設置され、置かれ又は取り付けられており、ラジオ・ヘッド・ユニット１０２、短期メモリ記憶装置１０４、ユーザ・インターフェース１０６及び無線送受信機１０８を少なくとも備える。メディア・システム１００により、ユーザは車両５０にメディア・コンテンツを蓄積することができる。
【００１０】
ラジオ・ヘッド・ユニット１０２は車両５０の電気的インフラ（図示せず）と有線接続されており、少なくとも１つの記憶装置１０９、受信機１１０及びコントローラ１１２を備える。記憶装置１０９は、音声ファイルのようなマルチメディア・ファイルと、ＡＢＳステータス情報のような車両５０の様々なシステム及びサブシステムからの様々な状態及び診断情報とを含むがそれらに限定されない多様なデータの長期メモリ記憶が可能な任意の装置である。適切な記憶装置としては、ハードディスク・ドライブ、フラッシュメモリ記憶装置及びランダム・アクセス・メモリ（ＲＡＭ）があるが、それらに限定されるものではなく、読み取り／書き込み操作を有する様々な他の種別の記憶装置も利用され得る。
【００１１】
受信機１１０は（以下に説明する）放送源２０２からメディア・コンテンツを受信するものであって、メディア・コンテンツの受信に典型的に利用される多数の従来の受信機のうちの任意の１つであってよい。
【００１２】
メディア・コンテンツは、デジタル又はアナログ放送、或いは、任意の他の既知のフォーマットのような多種類のフォーマットのうちの１つで放送され得る。メディア・コンテンツは１つ又はそれ以上のメディア・トラックに分割されることが望ましい。各メディア・トラックは、単一の曲、音声バイト、音声ブック又は他のメディアのような、視聴者が購入したいと望む、開始及び終了を有する売買可能なメディア・ユニットを表し得る。代わりに、メディア・トラックは、メディア・コンテンツ・ベンダが視聴者に販売したいと望み得る複数のメディア・ユニットを含んでも良い。
【００１３】
各メディア・トラックは、例えば衛星デジタル音声ラジオ・サービス、地上デジタル音声放送、ＦＭ  ＲＤＳ及びデジタルテレビ並びにそれに類するものによりメディア・トラックが放送されている期間に車両５０に同時にストリーム配信される、メディア・トラックと関連付けられた識別データを有し得る。例えば、放送されるデータは、放送されるメディア・トラックの題名又は他のプログラム関連データを識別し得るテキスト・メッセージを提供し得る。
【００１４】
メディア・コンテンツは、購読者以外によるメディア・コンテンツの受信を防止するために、暗号化されたデジタル信号にフォーマットされ得る。その場合、受信機１１０は、受信機１１０に埋め込まれた、暗号化デジタル信号を高品質の放送に復号し処理するよう構成されたチップセットを備えることが適切である。更に、メディア・コンテンツは、キーによって解読され得る保護コードにより暗号化され得る。キーは購入処理の完了後にユーザに利用可能にされる。
【００１５】
上記のとおり、ラジオ・ヘッド・ユニット１０２はコントローラ１１２を組み込む。コントローラ１１２は、ラジオ・ヘッド・ユニット１０２の情報にアクセスし、ラジオ・ヘッド・ユニット１０２への及びラジオ・ヘッド・ユニット１０２からの情報の送信を管理し、車両５０の様々なシステム及び／又はサブシステムと通信することが可能である。コントローラ１１２はマイクロプロセッサ又は他の従来の処理装置で実現され得る。コントローラ１１２はラジオ・ヘッド・ユニット１０２に組み込まれるものとして図示されているが、コントローラ１１２とラジオ・ヘッド・ユニット１０２とを一体化した構成はメディア・システム１００にとって重要ではない。
【００１６】
コントローラ１１２は、ラジオ・ヘッド・ユニット１０２から短期メモリ記憶装置１０４へのメディア・コンテンツの転送を管理し得る。ラジオ・ヘッド・ユニット１０２及び短期メモリ記憶装置１０４は、無線で又は多数の従来方法のうちの任意の１つで通信し得る。適切な短期メモリ記憶装置には、ＣＤ、デジタル・ビデオ・ディスク（ＤＶＤ）、読み取り専用メモリ（ＲＯＭ）、プログラム可能ＲＯＭ、ランダム・アクセス・メモリ（ＲＡＭ）、フロッピー・ディスク（登録商標）、磁気テープ、フラッシュメモリ、ハードディスク等が含まれるが、それらに限定されない。
【００１７】
ユーザ・インターフェース１０６はユーザとコントローラ１１２との間の通信を提供する。ユーザ・インターフェース１０６は、放送されるメディア・コンテンツに関する識別情報又はプログラム情報を表示する。更に、ユーザ・インターフェース１０６は、回転ノブ、押しボタン、タッチスクリーン、又は、ユーザがメディア・システム１００への入力を提供することを可能とする任意の他の従来の構成を用いてメディア・コンテンツを蓄積する選択肢を提供する。１つの例においては、現在放送されているメディア・トラック、及び１つ又はそれ以上の以前に放送されたメディア・トラックを含むメディア・コンテンツのリストが表示される。ユーザ・インターフェース１０６に現れ得る表示バーに沿って、ポインターのようなインジケータが提供される。ユーザは、ノブを反時計回り又は時計回りに回転させることにより、２つのメディア・トラック間でインジケータを移動させる。ユーザは、ボタンを押すことにより、蓄積のために所望のメディア・トラックを選択することができる。
【００１８】
１つの例としての実施の形態においては、システムは乗員がメディア・コンテンツのコピーを購入できるようにする。この機能を実現するため、コントローラ１１２は、テレマティクス・システム７５に、選択されたメディア・コンテンツの購入要求を送信する。テレマティクス・システム７５は、（車両の外部にて）遠隔で動作し且つユーザに様々な遠隔サービスを提供し得る多種類のシステムの任意の１つであり得る。
【００１９】
テレマティクス・システム７５の一例には、ミシガン州トロイのＯｎＳｔａｒ社から提供されるＯｎＳｔａｒ（登録商標）衛星システムが含まれる。ＯｎＳｔａｒ（登録商標）製品は、他の製品とともに、コンシェルジェ（ｃｏｎｃｉｅｒｇｅ）・サービス、車両支援サービス、遠隔車両開錠／施錠機能、ナビゲーション・サービス及び／又は車両追跡サービスを提供する。１つの代わりの実施の形態において、ユーザの購入要求の完了を促進するために、テレマティクス・システム７５は、クレジット・サービスと通信し、或いは、必要とされ得る、インターネットを介して又は他の通信手段により利用可能な、顧客による購入を促進するよう構成された任意の他のシステムと通信する。
【００２０】
送受信機１０８により、コントローラ１１２はテレメトリ・システム１０８と通信することができる。送受信機１０８は、ＩＥＥＥ１３９４ネットワーク、又はテレマティクス・システム７５への及びテレマティクス・システム７５からの情報を送信するセルラー網を含むがそれらに限定されない無線ネットワークを介して、テレマティクス・システム７５と通信し得る。特定の無線ネットワーク又は送受信機は、それぞれが他のシステムとの互換性を持っているならば、メディア・システム１００の動作にとって重要ではない。更に、ラジオ・ヘッド・ユニット１０２とテレマティクス・システム７５との間の情報送信に、多様な異なる従来の無線受信機、送信機及び送受信機が利用され得る。
【００２１】
図２において、上記のメディア・システム１００が組み込まれ得る、例としてのメディア購入システム２００が示される。メディア購入システム２００は、メディア・システム１００と、テレマティクス・システム７５と、放送源２０２と、放送サービス２０４とを含む。上記に詳細に説明したとおり、メディア・システム１００及びテレマティクス・システム７５は相互に通信して、ユーザがメディア・コンテンツを購入することを可能とする。
【００２２】
しかし、ユーザがメディア・コンテンツを購入可能になる前に、コンテンツは放送源２０２により車両５０に放送される。放送源２０２は、衛星ラジオ・システム、衛星ラジオ購読者に信号を発するよう構成された衛星のような宇宙船、又は無線塔のような地上装置を含むがそれらに限定されない、メディア・コンテンツを無線で放送する多数の種別のシステム又は装置のうちの任意の１つであってよい。理解されるとおり、放送源２０２は、特定の種別であるか否かに関わらず、メディア・コンテンツがユーザに首尾よく放送され得るよう、車両受信機１０８と対応していなければならない。
【００２３】
放送サービス２０４は放送源２０２にメディア・コンテンツを供給する。更に、放送サービス２０４はテレマティクス・システム７５と通信し、受信した購入要求を処理し、完了する。従って、放送サービス２０４はクレジット・サービスと通信することができ、或いは、必要ならば、インターネットを介して又は他の通信手段により利用可能な、消費者による購入を促進するよう構成された任意の他のシステムと通信し得る。他の例としての実施の形態においては、放送サービス２０４はメディア・コンテンツを、販売し、供給し、及び／又は販売可能なパッケージとしてバンドリングする。
【００２４】
図３は、放送中のメディア・コンテンツを購入する例としての方法を描くフローチャートである。以下の詳細な説明において括弧内に記載された参照情報は、図３に示されたフローチャート・ブロックと関連付けられた参照番号に対応する。図１〜３を参照すると、まず、メディア・システム１００がメディア・コンテンツを受信する（３１０）。１つの例としての実施の形態においては、車両５０は車両受信機１０８を介して放送源２０２からメディア・コンテンツを受信する。メディア・コンテンツは少なくとも第１の又は第２の音声チャンネルで受信され得る。受信されたメディア・コンテンツは、暗号化されている場合には、コントローラ１１２により復号されてから、高品質なコンテンツとしてユーザに受信される。
【００２５】
次に、メディア・コンテンツがバッファリングされる（３２０）。メディア・コンテンツは、受信されると、短期メモリ記憶装置１０４に蓄積される。理解されるように、ユーザが第２の音声チャンネルを聴いている、又は音声がオフにされているとしても、メディア・コンテンツは受信機１０８により第１の音声チャンネルで継続的に受信される。いずれの場合でも、メディア・コンテンツは短期メモリ記憶装置１０４にバッファリングされ得る。１つの例としての実施の形態において、メディア・コンテンツは、それぞれが明確な開始及び終了を有する個々のメディア・トラックに分割される。受信された各メディア・トラックは開始から終了まで短期メモリ記憶装置１０４に蓄積される。もう１つの例としての実施の形態においては、メディア・トラックは、少なくとも、その後の第２のメディア・トラックが送信されている間に短期メモリ記憶装置１０４に蓄積される。更に他の例としての実施の形態においては、第２のメディア・トラックは、第２のメディア・トラックが送信されており第１のメディア・トラックが短期メモリ記憶装置１０４に蓄積されている間にバッファリングされ得る。従って、短期メモリ記憶装置１０４には、常に、少なくとも１つの完了したメディア・トラックが蓄積されている。更に、２つ以上の完了したメディア・トラックがバッファリングされていても良い。
【００２６】
メディア・トラックの放送中の或る時点において、ユーザはメディア・トラックを蓄積及び／又は購入することを決定し得る。その場合、ユーザはメディア・システム１００に蓄積及び／又は購入の要求を入力する（３３０）。１つの実施の形態において、ユーザは、ユーザ・インターフェース１０６を適切に操作することにより、蓄積及び／又は購入するメディア・トラックを選択する。ユーザ・インターフェース１０６は要求をコントローラ１１２に送信し、コントローラ１１２は適切な信号を送受信機１０８を介してテレマティクス・システム７５に送信する。テレマティクス・システム７５は購入要求を確認し、確認を放送サービス２０４に送信する。もう１つの例としての実施の形態においては、テレマティクス・システム７５は放送サービス２０４に購入要求を送信し、放送サービスは購入要求を確認する。次いで、放送サービスはクレジット・サービスを実行して購入要求を完了し得る。
【００２７】
メディア・トラックの途中の時点で購入要求がなされた場合、メディア・トラックは、メディア・トラックが完了するまで短期メモリ記憶装置１０４にバッファリングされ続ける（３４０）。
【００２８】
メディア・トラックは、完了すると、車両ラジオ・ヘッド・ユニット１０２に蓄積される（３５０）。１つの例としての実施の形態において、テレマティクス・システム７５はコントローラ１１２に適切な信号を送信し、購入されたメディア・トラックを車両ラジオ・ヘッド・ユニット１０２に蓄積させる。メディア・コンテンツが暗号化されている場合、放送サービス２０４はテレマティクス・システム７５に無線でキーを送信し、テレマティクス・システム７５は車両５０にキーを送信する。車両５０によりキーが受信されると、コントローラ１１２はキーを使って保護コードを解読するので、メディア・コンテンツは短期メモリ記憶装置１０４からラジオ・ヘッド・ユニット１０２に転送され得る。
【００２９】
もう１つの例としての実施の形態においては、放送サービス２０４は、購入されたメディア・コンテンツをウェブサイト上でダウンロード可能にすることを選択し得る（３６０）。ユーザはウェブサイトにログオンし、購入したメディア・コンテンツを自宅のパーソナル・コンピュータ又は他のメディア再生装置にダウンロードすることができる。もう１つの例としての実施の形態においては、ユーザが第２のメディア・トラックの放送中の時点で第１のメディア・トラックの購入要求を出す場合、テレマティクス・システム７５はコントローラ１１２に適切な信号を送信して、第２のメディア・トラックのバッファリングを続けながら、第１のメディア・トラックを車両ラジオ・ヘッド・ユニット１０２に蓄積させる。
【００３０】
購入要求がなされなかった場合、メディア・トラックは、メディア・トラックが完了するまで短期メモリ記憶装置１０４にバッファリングされ続ける（３７０）。バッファリングされたメディア・トラックは、ユーザがその後にメディア・トラックの購入を決定した場合に、車両ラジオ・ヘッド・ユニット１０２にダウンロード可能である。短期メモリ記憶装置１０４に一時的に蓄積されるメディア・トラックの数は、媒体１０４の記憶容量により制限され得る。従って、購入のために選択されないメディア・トラックは、所定の長さの時間の後に、又は記憶容量に達した後に、短期メモリ記憶装置１０４から自動的に削除され得る（３８０）。
【００３１】
上記の詳細な説明において少なくとも１つの例としての実施の形態が提示されたが、多数の変形が存在することが理解されるべきである。また、１つ又はそれ以上の例としての実施の形態は、例示に過ぎず、あらゆる意味において、本発明の範囲、適用可能性又は構成を限定する意図はないことも理解されるべきである。むしろ、上記の詳細な説明は、当業者に、１つ又はそれ以上の例としての実施の形態を実現するための便利なロードマップを提供するものである。特許請求の範囲及びその法的な均等物に示された本発明の範囲を逸脱することなしに、構成要素の機能及び構成の様々な変更がなされ得ることが理解されるべきである。
【図面の簡単な説明】
【００３２】
【図１】図１は、車両に実装され得る例としてのメディア・システムのブロック図である。
【図２】図２は、図１に示されたメディア・システムを実装するために利用され得る例としてのメディア購入システムのブロック図である。
【図３】図３は、図１に示されたメディア・システム及び図２に示されたメディア購入システムを利用する例としての方法のフローチャートである。
【図１】
2006074775.tif 000003
【図２】
2006074775.tif 000004
【図３】
2006074775.tif 000005